(57)【要約】      （修正有）【課題】カプセルや錠剤からなる薬の飲み忘れや重複して服用するのを防止する投薬カレンダーを提供する。【解決手段】日付ごとにカプセルまたは錠剤からなる薬２０を配列するための投薬カレンダー１に関する。フィルム１１からなる第１層Ｓ１と、前記フィルム１１の裏面に積層され粘着剤１２からなる第２層Ｓ２と、前記粘着剤１２を介して前記フィルム１１に貼着され前記フィルム１１よりも厚いシート１３からなり、前記日付ごとに貫通孔１０が形成され、前記各貫通孔１０ごとに前記カプセルまたは錠剤の包材２１を前記粘着材１２を介して貼付可能とした第３層Ｓ３とを備えている。【選択図】図１
0003158874.tif 000002
【実用新案登録請求の範囲】
【請求項１】
日付ごとにカプセルまたは錠剤からなる薬を配列するための投薬カレンダーであって、
フィルムからなる第１層と、
前記フィルムの裏面に積層され粘着剤からなる第２層と、
前記粘着剤を介して前記フィルムに貼着され前記フィルムよりも厚いシートからなり、前記日付ごとに貫通孔が形成され、前記各貫通孔ごとに前記カプセルまたは錠剤の包材を前記粘着材を介して貼付可能とした第３層とを備える投薬カレンダー。
【考案の詳細な説明】
【技術分野】
【０００１】
本考案は投薬カレンダーに関するものである。
【背景技術】
【０００２】
病院などでは、たとえば、２週間や１ヵ月などある程度まとまった期間分の薬が処方される。患者は、処方されたカプセルまたは錠剤からなる薬を、朝や夕方など医師の指示どおりに服用する必要がある。そのため、薬を１回分ごとに分けて収納する収納ケースが市販されている。
【先行技術文献】
【特許文献】
【０００３】
【特許文献１】実用新案登録第３１５２５１１号公報
【考案の概要】
【考案が解決しようとする課題】
【０００４】
しかし、高齢者などは、前記収納ケースに入れた薬を飲み忘れたり、重複して服用する場合がある。
したがって、本考案の目的は、カプセルや錠剤からなる薬の飲み忘れや重複して服用するのを防止することである。
【課題を解決するための手段】
【０００５】
前記目的を達成するために、本考案は、日付ごとにカプセルまたは錠剤からなる薬を配列するための投薬カレンダーであって、フィルムからなる第１層と、前記フィルムの裏面に積層され粘着剤からなる第２層と、前記粘着剤を介して前記フィルムに貼着され前記フィルムよりも厚いシートからなり、前記日付ごとに貫通孔が形成され、前記各貫通孔ごとに前記カプセルまたは錠剤の包材を前記粘着材を介して貼付可能とした第３層とを備えている。
【考案の効果】
【０００６】
本考案によれば、予め薬を粘着材に貼付しておくことで、該薬を服用する毎に投薬カレンダーから薬を取り外すので、高齢者であっても、一目で薬を服用したか否かを判断することができる。そのため、薬の飲み忘れや重複して服用するのを防止することができる。
また、薬は投薬カレンダーに貼着されているので、多少乱雑に扱っても薬が飛び散るおそれがない。
また、複数枚のカレンダーを重ねておくことができるから、たとえば、薬の種類ごとにカレンダーを分けてコンパクトに収納することができる。
【図面の簡単な説明】
【０００７】
【図１】図１Ａは本考案の一実施例にかかるカレンダーを示す概略正面図、図１Ｂは概略横断面図である。
【図２】変形例のカレンダーを示す概略正面図である。
【実施例１】
【０００８】
以下、本考案に係る投薬カレンダーの実施例を図面にしたがって説明する。
図１Ａおよび図１Ｂに示すように、本カレンダー１は、貼着面１２に包装された薬２０を裏面から貼着して使用するものである。
【０００９】
図１Ｂに示すように、カレンダー１は、フィルム１１からなる第１層Ｓ１、前記フィルム１１の裏面に積層され粘着剤１２からなる第２層Ｓ２、および前記粘着剤１２を介して前記フィルム１１に貼着された第３層Ｓ３からなる。
【００１０】
図１Ａに示すように、前記シート１３には、カプセルまたは錠剤の包材２１の突出部２２が入る楕円状の貫通孔１０が形成されている。
前記貫通孔１０の大きさは、錠剤やカプセルが入る形状および大きさに設定されている。
【００１１】
前記フィルム１１の表面には、前記貫通孔１０毎に、１日〜３１日まで、かつ、朝・夕ごとに区切られた表１５が印刷されている。前記貫通孔１０は、該表１５の各カラム内に前記貫通孔１０がそれぞれ入る大きさに設定されている。
すなわち、図１Ａに示すように、前記表１５の横欄には、日付が設定されており、縦欄には、前記日付ごとに、たとえば、「朝」・「夕」からなる服用時刻が設定されている。
【００１２】
前記粘着剤１２およびフィルム１１は透明または半透明の部材で形成されている。そのため、薬２０をカレンダー１の裏面側から所定の日付および服用時刻に合わせて貼付すると、カレンダー１のフィルム１１の表面１１ａ側から前記貼着した薬２０が見えるように設定されている。
【００１３】
使用方法：
本カレンダー１を使用するには、まず、使用者が、病院で処方された薬を服用時刻ごとに切り離し、前記表１５の服用日および時刻に応じた箇所に、カレンダー１の裏面側から薬２０を粘着剤１２に貼着する。使用者は、前記貼着動作を繰り返し、処方された期間の薬２０をカレンダー１に貼着する。
【００１４】
つぎに、使用者は、薬２０を服用する時刻になると、カレンダー１に貼着された薬２０を取り外し、該取り外した薬２０を服用する。
【００１５】
このように、使用者が薬の服用日および服用時刻に該当する薬２０をカレンダー１から取り外して服用することにより、薬の服用を失念し易くなった高齢者であっても、一目で薬２０の飲み忘れを防止することができる。また、服用したか否かが不明な場合であっても、カレンダー１を見ることで、薬２０が当該服用時刻にあるか否かが一目で分かるので重複して薬２０を服用するおそれがなくなる。
【００１６】
なお、前記表１５は、前述したように、フィルム１１の表面１１ａに印刷してもよいし、シート１３の表面１３ａに印刷してもよい。
また、前述した実施例では、前記表１５を朝・夕の２種類の服用時刻に設定したが、朝、昼、夕、就寝前など薬を服用する時刻に設定されていてもよい。また、表１５は、２週間ごとや１週間ごと（曜日ごと）に設定されていてもよい。
【００１７】
また、カレンダー１としては、第３層Ｓ３をプラスチックなどの板で形成し、第１層Ｓ１および第２層Ｓ２として透明または半透明の粘着テープを採用してもよい。
また、第３層Ｓ３をポリ塩化ビニル等の非発泡樹脂やボール紙で形成してもよい。
【００１８】
さらに、貫通孔１０の形状は、薬２０の突出部分が粘着剤１２に貼着され得る形状であればよく、たとえば、図２に示すような形状であってもよい。
また、カレンダー１の上部に吊り下げ用の孔１６を穿孔すれば、カレンダー１を壁などにつり下げて使用することができる。
【産業上の利用可能性】
【００１９】
本考案の投薬カレンダーは、薬の飲み忘れや重複して服用するのを防止することができる。
【符号の説明】
【００２０】
１：投薬カレンダー
１０：貫通孔
１１：フィルム
１２：粘着剤
１３：シート
２０：薬
２１：包材
Ｓ１：第１層
Ｓ２：第２層
Ｓ３：第３層
【図１】
0003158874.tif 000003
【図２】
0003158874.tif 000004
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
日付ごとにカプセルまたは錠剤からなる薬を配列するための投薬カレンダーであって、
フィルムからなる第１層と、
前記フィルムの裏面に積層され粘着剤からなる第２層と、
前記粘着剤を介して前記フィルムに貼着され前記フィルムよりも厚いシートからなり、前記日付ごとに貫通孔が形成され、前記各貫通孔ごとに前記カプセルまたは錠剤の包材を前記粘着剤を介して貼付可能とした第３層とを備える投薬カレンダー。